(57)【要約】【課題】センサを付加しながらも従来の錠との取り替えも簡便な錠を提供する。【解決手段】扉１００には開口１０１が設けられ、これを貫通して配線３が敷設される。扉１００の屋外側には第１の錠本体１と検知部２とが設けられており、屋内側には第２の錠本体２と受信部６とが設けられている。検知部２は撮像部２１、近接センサ２５、投光器２６を備えており、配線３が接続される。受信部６は筐体６０に収納される。受信部６は表示部６１，通信部６２、記録部６３、制御部６４、バッテリー６５を有しており、配線３が接続される。開口１０１には通常の錠を支持する機構に用いられる開口を利用できる。【選択図】図８
2007032019.tif 000002
【特許請求の範囲】
【請求項１】
駆動桿と、
前記駆動桿に連結されて相互に駆動が可能であって、キーによって駆動可能なキーシリンダー、及び手動で駆動可能な操作部と、
前記キーシリンダー及び前記操作部を相互に支持する支持部と、
前記支持部に対して前記キーシリンダー側であって、その近傍の状態を検知する検知部と、
前記支持部に対して前記操作部側であって、前記検知部からの出力を得る受信部と、
前記支持部に沿って配置され、前記検知部からの前記出力を前記受信部へ伝達する配線と
を備える近傍の状況を検知する錠。
【請求項２】
前記支持部は筒であり、前記配線は前記筒の内部に配置される、請求項１記載の近傍の状況を検知する錠。
【請求項３】
前記配線は複数の対を成して設けられ、
各々の前記対の一方と他方とには同じ信号が与えられ、
前記受信部は前記対の一方と他方とが一致するか否かを判断する異常判断回路を有する、請求項１又は請求項２に記載の近傍の状況を検知する錠。
【請求項４】
前記検知部は前記キーシリンダーと共にガードリングによって囲まれる、請求項１乃至請求項３のいずれか一つに記載の近傍の状況を検知する錠。
【請求項５】
前記ガードリング内において前記配線を収納する保護管が設けられる、請求項１乃至請求項３のいずれか一つに記載の近傍の状況を検知する錠。
【請求項６】
前記検知部の前記操作部側に設けられ、
前記配線を貫通させる第１開口と、
前記駆動桿及び前記支持部を貫通させる第２開口と
を有する背板
を更に備える、請求項１乃至請求項３のいずれか一つに記載の近傍の状況を検知する錠。
【請求項７】
前記背板は、その前記操作部側に前記第１開口と前記第２開口とを連通させる溝を有する、請求項６記載の近傍の状況を検知する錠。
【請求項８】
前記検知部は撮像部を有する、請求項１乃至請求項７のいずれか一つに記載の近傍の状況を検知する錠。
【請求項９】
前記検知部は近接センサを有する、請求項１乃至請求項８のいずれか一つに記載の近傍の状況を検知する錠。
【請求項１０】
前記検知部は投光器を有する、請求項１乃至請求項９のいずれか一つに記載の近傍の状況を検知する錠。
【請求項１１】
前記受信部は前記検知部の前記出力を記録する記録部を有する、請求項１乃至請求項１０のいずれか一つに記載の近傍の状況を検知する錠。
【請求項１２】
前記受信部は前記検知部の前記出力に基づいて外部と通信を行う通信部を有する、請求項１乃至請求項１１のいずれか一つに記載の近傍の状況を検知する錠。
【発明の詳細な説明】
【技術分野】
【０００１】
この発明は錠の近傍の状況を検知する技術に関する。
【背景技術】
【０００２】
扉に設けられた錠が不正開錠されないように、当該扉の付近に防犯カメラ、赤外線や音波を用いた近接センサ、威嚇のための投光器を設けることが公知である。
【０００３】
【特許文献１】特開２００３−３３９０４２号公報
【発明の開示】
【発明が解決しようとする課題】
【０００４】
しかしながら、錠の他に更に扉に防犯カメラ、近接センサ、投光器を設けることは扉に不要な開口が必要であったり、また錠以外に配置するための工事が煩雑となったりする。
【０００５】
本発明はかかる観点から、センサを付加しながらも従来の錠との取り替えも簡便な錠を提供することを目的とする。
【課題を解決するための手段】
【０００６】
この発明にかかる近傍の状況を検知する錠の第１の態様は、駆動桿と、前記駆動桿に連結されて相互に駆動が可能であって、キーによって駆動可能なキーシリンダー、及び手動で駆動可能な操作部と、前記キーシリンダー及び前記操作部を相互に支持する支持部と、前記支持部に対して前記キーシリンダー側であって、その近傍の状態を検知する検知部と、前記支持部に対して前記操作部側であって、前記検知部からの出力を得る受信部と、前記支持部に沿って配置され、前記検知部からの前記出力を前記受信部へ伝達する配線とを備える。
【０００７】
この発明にかかる近傍の状況を検知する錠の第２の態様は、錠の第１の態様であって、前記支持部は筒であり、前記配線は前記筒の内部に配置される。
【０００８】
この発明にかかる近傍の状況を検知する錠の第３の態様は、錠の第１の態様又は第２の態様であって、前記配線は複数の対を成して設けられ、各々の前記対の一方と他方とには同じ信号が与えられ、前記受信部は前記対の一方と他方とが一致するか否かを判断する異常判断回路を有する。
【０００９】
この発明にかかる近傍の状況を検知する錠の第４の態様は、錠の第１の態様、第２の態様又は第３の態様であって、前記検知部は前記キーシリンダーと共にガードリングによって囲まれる。
【００１０】
この発明にかかる近傍の状況を検知する錠の第５の態様は、錠の第１の態様、第２の態様又は第３の態様であって、前記ガードリング内において前記配線を収納する保護管が設けられる。
【００１１】
この発明にかかる近傍の状況を検知する錠の第６の態様は、錠の第１の態様、第２の態様又は第３の態様であって、前記検知部の前記操作部側に設けられ、前記配線を貫通させる第１開口と、前記駆動桿及び前記支持部を貫通させる第２開口とを有する背板を更に備える。
【００１２】
この発明にかかる近傍の状況を検知する錠の第７の態様は、錠の第６の態様であって、前記背板は、その前記操作部側に前記第１開口と前記第２開口とを連通させる溝を有する。
【００１３】
この発明にかかる近傍の状況を検知する錠の第８の態様は、錠の第１の態様乃至第７の態様のいずれかであって、前記検知部は撮像部を有する。
【００１４】
この発明にかかる近傍の状況を検知する錠の第９の態様は、錠の第１の態様乃至第８の態様のいずれかであって、前記検知部は近接センサを有する。
【００１５】
この発明にかかる近傍の状況を検知する錠の第１０の態様は、錠の第１の態様乃至第９の態様のいずれかであって、前記検知部は投光器を有する。
【００１６】
この発明にかかる近傍の状況を検知する錠の第１１の態様は、錠の第１の態様乃至第１０の態様のいずれかであって、前記受信部は前記検知部の前記出力を記録する記録部を有する。
【００１７】
この発明にかかる近傍の状況を検知する錠の第１２の態様は、錠の第１の態様乃至第１１の態様のいずれかであって、前記受信部は前記検知部の前記出力に基づいて外部と通信を行う通信部を有する。
【発明の効果】
【００１８】
この発明にかかる近傍の状況を検知する錠の第１の態様によれば、キーシリンダー近傍に検知部を配置することができるので、開錠操作を行う主体を検知することができる。しかも受信部は検知部とは扉に対して反対側に、例えば検知部を屋外に、受信部を屋内に、それぞれ配置できる。これにより検知部から受信した出力を屋内で安全に記録することができる。また検知部から出力を制御部へ伝達する配線は支持部に沿って配置されるので、従来の錠を取り付けるために必要であった穴以外に扉を開口する必要が無く、従来の錠との取り替えも簡便である。
【００１９】
この発明にかかる近傍の状況を検知する錠の第２の態様によれば、配線が支持部で保護される。
【００２０】
この発明にかかる近傍の状況を検知する錠の第３の態様によれば、配線に異常が生じたか否かが判断される。また配線の対の一方に異常が生じても、受信部は他方を用いて検知部からの出力を得ることができる。
【００２１】
この発明にかかる近傍の状況を検知する錠の第４の態様によれば、検知部が破壊から保護される。
【００２２】
この発明にかかる近傍の状況を検知する錠の第５の態様によれば、検知部から支持部へ至る間での配線が保護される。
【００２３】
この発明にかかる近傍の状況を検知する錠の第６の態様によれば、検知部はキーシリンダーと別体で設けることができ、かつ検知部から支持部へと亘る配線が保護される。
【００２４】
この発明にかかる近傍の状況を検知する錠の第７の態様によれば、配線が背板と扉との間で圧迫されることを回避する。
【００２５】
この発明にかかる近傍の状況を検知する錠の第８の態様によれば、開錠操作を行う者を撮像できる。
【００２６】
この発明にかかる近傍の状況を検知する錠の第９の態様によれば、近接する者を検知できる。
【００２７】
この発明にかかる近傍の状況を検知する錠の第１０の態様によれば、投光して威嚇することができる。
【００２８】
この発明にかかる近傍の状況を検知する錠の第１１の態様によれば、検知部ではなく受信部において記録部が設けられるので、不正開錠されても記録部の破壊が防止される。
【００２９】
この発明にかかる近傍の状況を検知する錠の第１２の態様によれば、検知部ではなく受信部において通信部が設けられるので、不正開錠されても通信部の破壊が防止される。
【発明を実施するための最良の形態】
【００３０】
第１の実施の形態．
図１は本発明にかかる近傍の状況を検知する錠のうち、扉の一方側、例えば屋外側に配置される部分の構成を示す斜視図である。図２は本発明にかかる近傍の状況を検知する錠のうち、扉の他方側、例えば屋内側に配置される部分の構成を示す斜視図である。
【００３１】
但し、構成を把握しやすくするため、図１及び図２では扉を省略し、背板４，７は透過されるものとして一点鎖線で示している。
【００３２】
図１を参照して、屋外側の第１の錠本体１は、鍵差込口１１が設けられたガードリング１０を外郭として有している。第１の錠本体１はガードリング１０内に収納されたシリンダー１２を有している。シリンダー１２は鍵差込口１１に差し込まれた鍵（キー）によって駆動可能である。シリンダー１２は駆動桿１３と連結されており、シリンダー１２の駆動は駆動桿１３に伝達される。
【００３３】
図２を参照して、屋内側の第２の錠本体５は、手動で駆動を操作可能な操作部たるサムターン５１と、サムターン５１と駆動桿１３との間でこれらに連結され、両者の間で回転駆動を伝達するロータ５２を有している。従ってキーシリンダー１２とサムターン５１とは、駆動桿１３に連結されて相互に駆動が可能である。ロータ５２はカバー５０によって覆われている。
【００３４】
キーシリンダー１２及びサムターン５１は筒状の支柱１４，１５によって相互に支持されている。支柱１４，１５は背板４，７及び図示が省略された扉を貫通している。
【００３５】
図１を参照して、屋外側には、つまり支柱１４，１５に対してキーシリンダー１２側には、その近傍の状態を検知する検知部２が設けられる。検知部２は具体的には例えば撮像部２１及びこれを格納する筐体２０を有する。
【００３６】
図２を参照して、屋内側には、つまり支柱１４，１５に対してサムターン５１側には検知部２からの出力を得る受信部６が設けられる。受信部６は具体的には後述する種々の処理部を筐体６０内に有している。
【００３７】
検知部２と受信部６とは配線３で接続されており、配線３によって、検知部２からの出力が受信部６に伝達される。配線３は図１及び図２では図面の煩雑を避けるために途中までしか描いていないが、支柱１４，１５に沿って配置される。
【００３８】
図３は配線３が支柱１４，１５に沿って配置される一態様を例示する斜視図である。ここでは配線３が一対の配線３１，３２で構成される場合を例示しているが、配線３１，３２のいずれか一方を省略してもよい。対となる配線３１，３２を設けることの利点は第３の実施の形態において説明される。
【００３９】
図３において配線３１，３２はそれぞれ支柱１４，１５の内部に設けられる。支柱１４，１５にはそれぞれねじ１６，１７も貫挿される。
【００４０】
図４は屋外側での配線３の敷設状態を示す断面図である。扉１００には開口１０１が設けられており、開口１０１には支柱１４（あるいは支柱１５）が貫挿される。背板４を介してガードリング１０と支柱１４（あるいは支柱１５）がねじ１６（あるいはねじ１７）によって締結される。図示されていないが背板４には屋外側の面４ａに検知部２が固定されている。
【００４１】
背板４と扉１００との間に配線３１（あるいは配線３２）が敷設され、これが開口１０１に至って支柱１４（あるいは支柱１５）の内部に設けられる。
【００４２】
図５は屋内側での配線３の敷設状態を示す断面図である。開口１０１に貫挿された支柱１４（あるいは支柱１５）は、背板７を介してカバー５０とナット８０によって締結される。図示されていないが背板７には屋内側の面７ａに受信部６が固定されている。
【００４３】
背板７と扉１００との間に配線３１（あるいは配線３２）が敷設され、これが開口１０１に至って支柱１４（あるいは支柱１５）の内部に設けられる。
【００４４】
配線３，３１，３２は支柱１４，１５の内部に設けられる他、その周囲に巻き付けることも可能である。このような巻き付けを行う場合、配線３，３１，３２はフィルムに包まれたフィルム状の配線を採用することが好適である。
【００４５】
キーシリンダー１２及びサムターン５１が支柱１４，１５以外の構造で相互に支持される場合であっても、当該構造に沿って配線が検知部２と受信部６の間に設けられる。
【００４６】
以上のような構造を採ることにより、キーシリンダー１２近傍に検知部２を配置することができるので、正／不正を問わず開錠操作を行う主体を検知することができる。例えば撮像部２１によって開錠操作を行う者を撮像できる。
【００４７】
しかも受信部６は検知部２とは扉に対して反対側に配置される。これにより検知部２から受信した出力を屋内で安全に記録することができる。また配線３は支柱１４，１５などの支持部に沿って配置されるので、従来の錠を取り付けるために必要であった穴以外に扉を開口する必要が無く、従来の錠との取り替えも簡便である。
【００４８】
特に配線３，３１，３２を支柱１４，１５内に配置することにより、これらを保護することができる。
【００４９】
図６は背板４の構成を例示する斜視図である。背板４は屋外側の面４ａと、面４ａとは反対側（つまり検知部２のサムターン５１側）の面４ｂとを有している。面４ｂには開口４０，４２が設けられている。開口４０は配線３，３１，３２を貫通させ、開口４２は駆動桿１３及び支柱１４，１５を貫通させる。
【００５０】
このような背板４を扉１００（図４参照）と検知部２との間に設けることにより、検知部２はキーシリンダー１２と別体で設けることができ、かつ検知部２から支柱１４，１５へと亘る配線３が保護される。
【００５１】
更に背板４は、その面４ｂに開口４０．４２を連通させる溝４１を有する。これにより溝４１へ配線３，３１，３２を配置することができ、配線３，３１，３２が背板４と扉１００との間で圧迫されることを回避する。
【００５２】
背板７も面７ａ，７ｂにおいてそれぞれ背板４の面４ａ，４ｂと同様の構造を有することにより、上述の効果を得ることができる。但し、屋内側では配線３，３１，３２を外部の攻撃から防ぐ必要性が低いため、背板７が配線３，３１，３２を覆わなくてもよい。
【００５３】
背板４の面４ｂや背板７の面７ｂに粘着テープを設ければ、扉１００へ簡単に設置できる。
【００５４】
第２の実施の形態．
図７は本発明にかかる近傍の状況を検知する錠のうち、扉の一方側、例えば屋外側に配置される部分の構成を示す斜視図である。但し、構成を把握しやすくするため、ガードリング１０及び筐体２０は透過されるものとして一点鎖線で示している。
【００５５】
本実施の形態では検知部２をシリンダー１２と共に、筐体２０を兼ねるガードリング１０によって囲まれる。これにより検知部２が破壊から保護される。ここでは検知部２は撮像部２１のみならず近接センサ２５及び投光器２６が設けられている場合が例示されている。もちろん、第１の実施の形態においても近接センサ２５及び投光器２６を筐体２０に設けることもできる。その場合検知部２からの出力は撮像部２１からの出力のみならず近接センサ２５の出力を含む。
【００５６】
近接センサ２５は人物などの接近を検知し、投光器２６は投光して威嚇する効果がある。よって例えば近接センサ２５によって人物の接近が検知された場合にのみ、投光器２６が投光したり、撮像部２１が動作したりすることも可能であり、かかる動作は公知の技術を用いて実現できる。
【００５７】
この形態において望ましくは、検知部２とシリンダー１２との間に堅牢な隔壁を設ける。検知部２が破壊された場合、その破壊個所からシリンダー１２へと不正な開錠道具が突っ込まれないようにするためである。
【００５８】
但しこの隔壁を配線３１，３２が貫通しなければ、配線３１，３２は支柱１５（図１においては描かれていた支柱１４は省略している）に到達できない。よって隔壁には配線３１，３２を貫通させる穴が必要となる。
【００５９】
しかし隔壁と検知部２との間に大きな隙間があれば、当該隙間において配線３１，３２が不正な開錠道具によって切断される可能性がある。よって配線３１，３２はこれを保護する保護管２３，２４にそれぞれ収納されることが望ましい。
【００６０】
第３の実施の形態．
図８は本発明の構成を示す機能ブロック図である。扉１００には開口１０１が設けられ、これを貫通して配線３が敷設される。扉１００の一方側（例えば屋外側）には第１の錠本体１と検知部２とが設けられており、他方側（例えば屋内側）には第２の錠本体２と受信部６とが設けられている。
【００６１】
第１の錠本体１はガードリング１０に収納され、検知部２は筐体２０に収納される。検知部２は撮像部２１、近接センサ２５、投光器２６を備えており、配線３が接続される。第１の実施の形態のように筐体２０とガードリング１０は別体であってもよいし、第２の実施の形態のようにガードリング１０が筐体２０を兼ねていてもよい。
【００６２】
第２の錠本体５は図示を省略したサムターン５１を除いて筐体５０に収納され、受信部６は筐体６０に収納される。受信部６は表示部６１，通信部６２、記録部６３、制御部６４、バッテリー６５を有しており、配線３が接続される。
【００６３】
表示部６１は検知部２あるいは更に受信部６の動作状態を表示する。例えば撮像部２１で撮像された画像を表示してもよい。通信部６２は受信部６と外部との通信機能を担う。例えば無線ルータ７との間で通信を行い、ＬＣＤ表示装置に撮像部２１で撮像された画像を表示してもよい。
【００６４】
記録部６３は検知部２あるいは更に受信部６の動作状態を記録する。例えば撮像部２１で撮像された画像を記録してもよい。制御部６４は検知部２及び受信部６の動作を制御する。バッテリー６５は受信部６及び検知部２への電源を供給する。バッテリー６５から検知部２への電源供給は配線３を用いて行うことができる。
【００６５】
通信部６２や記録部６３を屋内側に配置することで、第１の錠本体１が破壊されても、これらの破壊が防止され、不正開錠者の存在を外部に通信したり、その画像を記録したりすることができる。
【００６６】
図９は本発明の構成を示す回路図である。検知部２は撮像部２１、近接センサ２５の出力をエンコードしつつ対にして配線３１，３２へと与える論理回路２７，２８を有している。以下、撮像部２１の出力が９ビット、近接センサ２５の出力が１ビットのデジタル信号である場合について説明する。
【００６７】
論理回路２７は配線３１，３２を介して受信部６から得られるパルス信号Ｐと、撮像部２１の出力の各ビットとの論理積を採って信号Ａ０〜Ａ８を得る。またパルス信号Ｐと近接センサ２５の出力との論理積を採って信号Ａ９を得る。
【００６８】
論理回路２８もパルス信号Ｐと、撮像部２１の出力の各ビットとの論理積を採って信号Ｂ０〜Ｂ８を得る。またパルス信号Ｐと近接センサ２５の出力との論理積を採って信号Ｂ９を得る。
【００６９】
信号Ａ０〜Ａ９及び信号Ｂ０〜Ｂ９はそれぞれ同じものである。配線３１，３２は対となり、配線３１には信号Ａ０〜Ａ９が、配線３２には信号Ｂ０〜Ｂ９が、それぞれ与えられる。
【００７０】
受信部６は、異常検出回路６６、論理回路６７、サンプリング回路６８、パルス発生器６９を有している。また配線３１，３２で信号を伝達する線の各々には図中で白三角で示されるプルアップ回路が接続されている。
【００７１】
異常検出回路６６は検知部２から配線３１，３２を介して得られた信号に基づき、これらの信号における異常の有無を検出する。具体的には信号Ａ０〜Ａ９と信号Ｂ０〜Ｂ９とが相互に一致するか否かを検出する。具体的には信号Ａｉ，Ｂｉ（ｉ＝０〜９）の排他的論理和を採り、更にそれら９個の排他的論理和の論理和を採って異常検出信号ＥＲＲを生成する。
【００７２】
パルス発生器６９はパルス信号ｎＰを生成し、これをサンプリング回路６８に与える。パルス信号ｎＰは分周器Ｄによって１／ｎ分周されてパルス信号Ｐが得られる。パルス信号Ｐは配線３１，３２を介して検知部２へ与えられる。
【００７３】
論理回路６７は信号Ａｉ，Ｂｉの論理積を採り、その結果はサンプリング回路６８へ与えられる。サンプリング回路６８はこれをパルス信号ｎＰに基づいてデコードし、その結果を制御部６４へ与える。
【００７４】
撮像部２１や近接センサ２５の出力（以下「センサ出力と称す」）が“Ｈ”であれば、パルス信号Ｐとの論理積である信号Ａｉ，Ｂｉはパルス信号Ｐと同じ波形を呈する。センサ出力が“Ｌ”であれば信号Ａｉ，Ｂｉはセンサ出力と同じく“Ｌ”となる。
【００７５】
配線３１，３２に異常が無ければ信号Ａｉ，Ｂｉは相互に等しい論理値を採るため、サンプリング回路６８においても信号Ａｉ，Ｂｉと同じ信号が入力する。サンプリング回路６８ではパルス信号ｎＰに基づいてサンプリングを行うことにより、センサ出力へとデコードすることができる。また異常検出信号ＥＲＲは“Ｌ”となる。
【００７６】
配線３１，３２のいずれか一方に異常が発生し、信号Ａｍ，Ｂｍ（０≦ｍ≦９）が不一致となった場合には、当該信号の排他的論理和が“Ｈ”となるので、異常検出信号ＥＲＲも“Ｈ”となる。また、信号を伝搬する線の各々はプルアップされているので、配線３１，３２のいずれか一方が断線した場合には対応する信号の論理は“Ｈ”に固定される。論理回路６７では対となる信号Ａｉ，Ｂｉの論理積を採るので、その出力は断線していない方の配線に対応する信号の論理を採り、一方の配線の断線にもかかわらず正常にデコードすることができる。
【００７７】
配線３１，３２の両方が断線する異常が発生し、プルアップによって信号Ａｍ，Ｂｍが“Ｈ”となった場合には、論理回路６７の出力は“Ｈ”となる。この場合、当該信号の排他的論理和は“Ｌ”となって異常検出信号ＥＲＲは“Ｌ”となる。しかしサンプリング回路６８の出力は“Ｈ”が長くなる信号を含むことになり、制御部６４がこの“Ｈ”の期間を所定の閾値と比較して、異常が発生したか否かを判断することができる。
【００７８】
図９では省略しているがバッテリー６５（図８）から検知部２への電源供給や検知部２の動作を制御する指令となる信号もそれぞれ対を成し、対の一方と他方とがそれぞれ配線３１，３２を経由して検知部２へと与えられることが望ましい。一方が断線しても検知部２を動作させうるからである。
【図面の簡単な説明】
【００７９】
【図１】本発明の第１の実施の形態にかかる近傍の状況を検知する錠の一部の構成を示す斜視図である。
【図２】本発明の第１の実施の形態にかかる近傍の状況を検知する錠の一部の構成を示す斜視図である。
【図３】配線の配置を例示する斜視図である。
【図４】屋外側での配線の敷設状態を示す断面図である。
【図５】屋内側での配線の敷設状態を示す断面図である。
【図６】背板の構成を例示する斜視図である。
【図７】本発明の第２の実施の形態にかかる近傍の状況を検知する錠の一部の構成を示す斜視図である。
【図８】本発明の第２の実施の形態にかかる構成を示す機能ブロック図である。
【図９】本発明の第３の実施の形態にかかる構成を示す回路図である。
【符号の説明】
【００８０】
１３  駆動桿
１２  キーシリンダー
５１  サムターン
１４，１５  支柱
２  検知部
６  受信部
３，３１，３２  配線
１０  ガードリング
４０，４２  開口
４１  溝
２１  撮像部
２５  近接センサ
２６  投光器
６３  記録部
６２  通信部
【図１】
2007032019.tif 000003
【図２】
2007032019.tif 000004
【図３】
2007032019.tif 000005
【図４】
2007032019.tif 000006
【図５】
2007032019.tif 000007
【図６】
2007032019.tif 000008
【図７】
2007032019.tif 000009
【図８】
2007032019.tif 000010
【図９】
2007032019.tif 000011